(57)【要約】【課題】  発光素子に供給される電源が安定化する。【解決手段】  アノード端子４１とカソード端子４２とに挟み込まれた発光素子３２１を１ラインに複数配列した発光素子ラインと、該発光素子ラインの各発光素子３２１を駆動するための駆動トランジスタＴＦＴ２とを備え、該駆動トランジスタＴＦＴ２を介して上記アノード端子４１に接続される電源配線３０１と上記カソード端子４２とを対向配置する。【選択図】              図３
2006103007.tif 000002
【特許請求の範囲】
【請求項１】
一方の電極と他方の電極とに挟み込まれた発光素子を１ラインに複数配列した発光素子ラインと、該発光素子ラインの各発光素子を駆動するための駆動回路とを備え、該駆動回路を介して前記一方の電極に接続される電源配線と前記他方の電極とを対向配置することを特徴とするラインヘッド。
【請求項２】
前記駆動回路として薄膜トランジスタを用い、該薄膜トランジスタのゲート端子と同一層に形成されるゲート端子層配線と前記電源配線とが接続されていることを特徴とする請求項１記載のラインヘッド。
【請求項３】
前記発光素子として有機ＥＬ発光素子を用いることを特徴とする請求項１または２記載のラインヘッド。
【請求項４】
感光体と、
該感光体を一様に帯電させる帯電手段と、
請求項１〜３いずれかに記載のラインヘッドを備え、前記感光体を露光することにより形成対象画像の静電潜像を前記感光体上に形成する露光手段と、
前記感光体上の静電潜像をトナー像として現像する現像手段と、
前記感光体上のトナー像を転写材に転写させる転写手段と、
前記転写材上のトナー像を定着させる定着手段と
を具備することを特徴とする画像形成装置。
【請求項５】
カラー画像を形成することを特徴とする請求項４記載の画像形成装置。
【発明の詳細な説明】
【技術分野】
【０００１】
本発明は、ラインヘッド及び画像形成装置に関する。
【背景技術】
【０００２】
複写機やプリンタ等、電子写真方式の画像形成装置に組み込まれ、感光体の表面に静電潜像を形成（露光）する装置としてラインヘッドがある。このラインヘッドは、多数の発光素子を基板上に一次元状に配列させ、基板上にパターニングされた配線を介して各発光素子を駆動するものである。このようなラインヘッドの発光素子としては、発光ダイオード（ＬＥＤ）や有機ＥＬ（Electroluminescence）発光素子等が用いられる。例えば下記の公知文献には、このようなラインヘッドに相当する発光素子アレイや画像形成装置について開示されている。
【特許文献１】特開平１１−２７４５６９号公報
【発明の開示】
【発明が解決しようとする課題】
【０００３】
ところで、このようなラインヘッドに用いられる発光素子パネルでは、通常、発光素子の配列に沿ってデータ線および制御信号線を配線する。したがって、これら配線の配線長は例えば数十ｃｍにも及び、よって電源を安定化する必要がある。特に、発光素子として有機ＥＬ発光素子を用いた場合には、ＬＥＤを発光素子として用いた場合よりもより大電流が必要とされ、これによって電源配線が太くなるため、より電源を安定化する必要が生じる。
【０００４】
本発明は、このような事情を考慮してなされたものであり、その目的は、発光素子に供給される電源が安定化されたラインヘッド及び画像形成装置を提供することを目的とする。
【課題を解決するための手段】
【０００５】
上述した課題を解決するために、本発明では、ラインヘッドに係わる第１の手段として、一方の電極と他方の電極とに挟み込まれた発光素子を１ラインに複数配列した発光素子ラインと、該発光素子ラインの各発光素子を駆動するための駆動回路とを備え、該駆動回路を介して上記一方の電極に接続される電源配線と上記他方の電極とを対向配置するという解決手段を採用する。
この発明によれば電源配線と他方の電極とによってキャパシタが形成されるため、電源を安定化することが可能となる。
【０００６】
また、ラインヘッドに係わる第２の手段として、上記第１の手段において、上記駆動回路として薄膜トランジスタを用い、該薄膜トランジスタのゲート端子と同一層に形成されるゲート端子層配線と上記電源配線とが接続されているという解決手段を採用する。
この発明によれば、電源配線とゲート端子層配線とが接続されるため、電源配線とゲート端子層配線とを合わせた領域と他方の電極が形成される領域との間にキャパシタが形成されることになる。したがって、電源配線と他方の電極との間のみにキャパシタを形成する場合よりもさらに大容量のキャパシタを形成することができ、より電源を安定化することが可能となる。
【０００７】
また、ラインヘッドに係わる第３の手段として、上記第１または第２の手段において、上記発光素子として有機ＥＬ発光素子を用いるという解決手段を採用する。
このように、大電流を必要とする有機ＥＬ発光素子を発光素子として用いる場合であっても本発明のラインヘッドによれば、少なくとも電源配線と他方の電極との間にキャパシタが形成されるため、有機ＥＬ発光素子に安定して電源を供給することが可能となる。
【０００８】
一方、本発明では、画像形成装置に係わる第１の手段として、感光体と、該感光体を一様に帯電させる帯電手段と、上記第１〜第３いずれかのラインヘッドを備え、上記感光体を露光することにより形成対象画像の静電潜像を上記感光体上に形成する露光手段と、上記感光体上の静電潜像をトナー像として現像する現像手段と、上記感光体上のトナー像を転写材に転写させる転写手段と、上記転写材上のトナー像を定着させる定着手段とを具備するという解決手段を採用する。
このような発明によれば、発光素子に供給される電源を安定化することができるので、不具合発生の防止、安定動作を実現することができる。
【０００９】
また、画像形成装置に係わる第２の手段として、上記第１の手段において、カラー画像を形成するという解決手段を採用する。
このような発明によっても、カラー画像を形成するためのラインヘッドにおける電源を安定化することができるので、不具合発生の防止、安定動作を実現することができる。
【発明を実施するための最良の形態】
【００１０】
以下、本発明の一実施形態によるラインヘッド及び画像形成装置を、図面を参照して説明する。
【００１１】
（第１実施形態）
図１は、本実施形態に係わるラインヘッドの略回路構成を示す回路図である。本ラインヘッド１は、選択回路３０、データ線部３１および画素回路３２を主な構成要素としている。選択回路３０は、画素回路３２を順次駆動するためのシフトレジスタ３０３からなり、電源配線３０１とグランド配線３０２を含む。このシフトレジスタ３０３は、スタート信号線３０４を介して初段に供給されたスタート信号をクロック信号線３０５のクロック信号に同期して後段に順次転送するものであり、各段の出力信号を画素回路３２における発光素子３２１を順次選択するための選択信号としてゲート線３０６を介して画素回路３２へ供給する。
【００１２】
データ線部３１は、発光素子３２１を発光／非発光するためのデータ信号をデータ線３１２に設けられた保護抵抗３１０及び入力バッファ３１１を介して伝送する配線部である。このデータ信号は、上記クロック信号に同期して外部からデータ線３１２に供給され、さらに引き出し線３１３を経由して画素回路３２に供給される。なお、上記データ線３１２には、保護抵抗３１０と入力バッファ３１１との間にＥＳＤ保護素子６０が付加され、先端部にＥＳＤ保護素子６１が付加されている。
【００１３】
画素回路３２は、保持トランジスタＴＦＴ１、駆動トランジスタＴＦＴ２（駆動回路）及び発光素子３２１からなる。保持トランジスタＴＦＴ１は、ゲート端子が上記ゲート線３０６に、ソース端子が上記引き出し線３１２に、またドレイン端子が駆動トランジスタＴＦＴ２のゲート端子に各々接続されている。一方、駆動トランジスタＴＦＴ２は、ソース端子が電源、つまり電源配線３０１に、ドレイン端子が発光素子３２１のアノード端子に各々接続されている。すなわち、発光素子３２１のアノード端子は駆動トランジスタＴＦＴ２を介して電源配線３０１と接続されている。発光素子３２１は、例えば発光体が有機物で形成された有機ＥＬ発光素子であるが、ＬＥＤであっても良い。発光素子３２１のカソード端子は、ＧＮＤ、つまりグランド配線３０２に接続されている。
【００１４】
このような画素回路３２における発光素子３２１は、シフトレジスタ３０３からゲート線３０６を介して入力される選択信号により選択され、またデータ線３２１及び引き出し線３１２を介して入力されるデータ信号に応じて発光／非発光が制御される。すなわち、シフトレジスタ３０３は、クロック信号に同期してスタート信号を後段に順次転送することにより発光素子３２１を選択する。そして、このようにしてシフトレジスタ３０３によって選択された発光素子３２１は、データ信号の電圧レベル、つまりＬ（ロー）／Ｈ（ハイ）に応じて発光／非発光が制御される。
【００１５】
なお、図１では、１つの発光素子３２１のみを示しているが、実際には、ｎ（例えば５１２０）個の発光素子３２１が基板上に１ライン状態で配置されている。そして、これらｎ個の発光素子３２１は、ｍ（例えば１２８）個毎にブロックを構成しており、シフトレジスタ３０３の各段から出力される選択信号は、このブロックを選択する。
【００１６】
次に、図２は、本実施形態によるラインヘッド１のレイアウト構成を示す模式図である。なお、この図２では、図１に対応する構成要素には同一の符号を付けている。
発光素子３２１は、図示するように長方形の基板に対して、その長辺に並行となるように１ラインに配列した発光素子ラインとして設けられている。このような発光素子３２１の下側には、上記駆動トランジスタＴＦＴ２が１ラインに配列した駆動回路ラインとして隣接配置されている。そして、このような駆動トランジスタＴＦＴ２の下側には、発光素子３２１つまり駆動トランジスタＴＦＴ２に沿って電源配線３０１が設けられ、この電源配線３０１の下側には、グランド配線３０２が同じく発光素子３２１に沿って設けられている。
【００１７】
また、この他にグランドコンタクト部３０２ａと裏面側グランド配線３０２ｂが設けられている。裏面側グランド配線３０２ｂは、基板の裏面に設けられており、各発光素子３２１のカソード電極が接続される。グランドコンタクト部３０２ａは、上記裏面側グランド配線３０２ｂと表面のグランド配線３０２とを接続するためのものである。
【００１８】
一方、発光素子３２１の上側には、上記保持トランジスタＴＦＴ１が１ラインに配列した保持回路ラインとして配置されている。そして、このような保持トランジスタＴＦＴ１の上側には、データ線３１２が発光素子３２１つまり保持トランジスタＴＦＴ１に沿って設けられ、その上側にはデータ線３１２と同様に発光素子３２１に沿った状態にスタート信号線３０４及びクロック信号線３０５が設けられている。なお、データ線３１２の本数は、１つのブロックを構成する発光素子３２１の個数、つまり１２８本である。
【００１９】
スタート信号線３０４とクロック信号線３０５との間には、上記シフトレジスタ３０３（選択回路３０）が発光素子３２１の配列方向に沿って設けられている。また、当該シフトレジスタ３０３の各段出力と保持トランジスタＴＦＴ１のゲート端子との間には、データ線３１２を跨ぐように、つまりデータ線３１２とは異なる層にゲート線３０６（図示略）が設けられている。
【００２０】
また、上述したようにデータ線３１２の途中部位にはＥＳＤ保護素子６０が、またデータ線３１２の先端部にはＥＳＤ保護素子６１がそれぞれ設けられるものなので、ＥＳＤ保護素子６０は、左右方向に敷線されたデータ線３１２の途中部位、つまり図示するように基板の左側で発光素子３２１に差し掛かる前の位置に各々配置され、一方、ＥＳＤ保護素子６１は、データ線３１２の先端に設けられるものなので、基板の右側に配置されている。
【００２１】
なお、図示していないが、データ線３１２と保持トランジスタＴＦＴ１との間には、上述した引き出し線３１３が設けられている。この引き出し線３１３は、データ線３１２と保持トランジスタＴＦＴ１とを最短距離で結ぶように、つまり上下方向にデータ線３１２とは異なる層に敷線されている。また、保持トランジスタＴＦＴ１と駆動トランジスタＴＦＴ２とは、発光素子３２１を挟んで上下に設けられており、したがって保持トランジスタＴＦＴ１のドレイン端子と駆動トランジスタＴＦＴ２のゲート端子とは、発光素子３２１を跨ぐように配線された接続配線（図示略）によって相互接続されている。
【００２２】
図３は、図２におけるＡ−Ａ線断面図である。なお、図３においては、ラインヘッド１の裏側が上に、表側（図２における視認面）が下に示されている。また、保持トランジスタＴＦＴ１の図示を省略している。この図に示すように、本実施形態のラインヘッド１は、有機ＥＬ発光素子の発光体（発光素子３２１）がアノード端子４１（一方の電極）とカソード端子４２（他方の電極）とに挟み込まれた構造を有しており、アノード端子４１が駆動トランジスタＴＦＴ２を介して電源配線３０１と接続され、カソード端子４２が裏面側グランド配線３０２ｂの一部として構成されている。なお、本実施形態のラインヘッド１においては、裏面グランド配線３０２ｂ（カソード端子４２）が反射性導電材料（例えば、アルミニウムやカルシウム等）によって形成されており、アノード端子４１が透光性導電材料（例えば、ＩＴＯ（Indium Tin Oxide）等）によって形成されている。このため、発光素子３２１に電源が供給され、発光素子３２１が発光すると、その発光光は、ラインヘッド１のアノード端子４１側（表側）から射出される。
【００２３】
このような構成を有する本実施形態のラインヘッド１によれば、カソード端子４２すなわち、裏面側グランド配線３０２ｂと電源配線３０１とが対向配置される。このため、裏面側グランド配線３０２ｂと電源配線３０１との間にキャパシタを形成することができ、電源を安定化することが可能となる。
【００２４】
次に、本実施形態に係わる画像形成装置、つまり上述したラインヘッド１を４つのラインヘッド１１Ｋ、１１Ｃ、１１Ｍ、１１Ｙとして用いた画像形成装置について説明する。
【００２５】
最初に、図４に示すブロック図を参照して、本画像形成装置の画像データの処理に関する機能構成を説明する。本画像形成装置の全体動作を制御する全体制御部には、ＣＰＵ、画像処理回路等で構成されるデータ処理ブ９と、元画像データ等を記憶する記憶部１０が設けられている。また、本画像形成装置は白黒画像に加えてカラー画像をも形成するものであり、画像を形成する際の原色である「黒」、「シアン」、「マゼンタ」、「イエロー」に対応する４つのラインヘッド１１Ｋ、１１Ｃ、１１Ｍ、１１Ｙが設けられている。
【００２６】
ここで、上記ラインヘッド１１Ｋ、１１Ｃ、１１Ｍ、１１Ｙの符号の末尾に付されたアルファベットＫ、Ｃ、Ｍ、Ｙは、それぞれ画像を形成する際の原色である黒、シアン、マゼンタ、イエローを意味している。このようなアルファベットＫ、Ｃ、Ｍ、Ｙの付記は、以下に説明する他の部材についても同様である。
【００２７】
データ処理部９は、外部のホストコンピュータから画像形成装置に送信されて記憶部１０に記憶されている元画像データ（ビットマップデータ）を読み出して、スクリーン処理、色変換処理、データ変換処理、データ転送処理を行うものである。スクリーン処理は、画像形成装置のプロセス条件とのマッチングを取り、階調再現性を確保することを目的として行われるものであり、万線パタ−ン、誤差拡散パターン、網点パターン等を組み合わせた処理である。色変換処理は、スクリーン処理された画像データを各ラインヘッド１１Ｋ、１１Ｃ、１１Ｍ、１１Ｙに対応した色に分解したデータに変換するものである。データ変換処理は、色変換処理された画像データを各ラインヘッド１１Ｋ、１１Ｃ、１１Ｍ、１１Ｙへの送信用データ信号に変換する処理である。データ転送処理は、上記送信用データを各ラインヘッド１１Ｋ、１１Ｃ、１１Ｍ、１１Ｙに転送する処理である。
【００２８】
図５は、本実施形態に係わる画像形成装置の機構構成を示す縦断側面図である。この画像形成装置は、同様な構成の４個のラインヘッド１１Ｋ、１１Ｃ、１１Ｍ、１１Ｙを、対応する同様な構成である４個の感光体ドラム１２Ｋ、１２Ｃ、１２Ｍ、１２Ｙの露光位置にそれぞれ配置したものであり、タンデム方式の画像形成装置として構成されている。
【００２９】
この画像形成装置は、駆動ローラ１３と従動ローラ１４とテンションローラ１５が設けられており、テンションローラ１５によりテンションを加えて張架されて、図示矢印方向（反時計方向）へ循環駆動される中間転写ベルト１６を備えている。この中間転写ベルト１６に対して所定間隔で配置された４個の像担持体としての外周面に感光層を有する感光体１２Ｋ、１２Ｃ、１２Ｍ、１２Ｙが配置される。
【００３０】
感光体ドラム１２Ｋ、１２Ｃ、１２Ｍ、１２Ｙは、中間転写ベルト１６の駆動と同期して図示矢印方向（時計方向）へ回転駆動される。また、各感光体ドラム１２Ｋ、１２Ｃ、１２Ｍ、１２Ｙの周囲には、各感光体ドラム１２Ｋ、１２Ｃ、１２Ｍ、１２Ｙの外周面を一様に帯電させるコロナ帯電器１７Ｋ、１７Ｃ、１７Ｍ、１７Ｙと、このコロナ帯電器１７Ｋ、１７Ｃ、１７Ｍ、１７Ｙによって一様に帯電させられた各感光体ドラム１２Ｋ、１２Ｃ、１２Ｍ、１２Ｙの外周面を当該各感光体ドラム１２Ｋ、１２Ｃ、１２Ｍ、１２Ｙの回転に同期して順次ライン走査するラインヘッド１１Ｋ、１１Ｃ、１１Ｍ、１１Ｙが設けられている。
【００３１】
さらに、各感光体ドラム１２Ｋ、１２Ｃ、１２Ｍ、１２Ｙの周囲には、上記ラインヘッド１１Ｋ、１１Ｃ、１１Ｍ、１１Ｙで形成された静電潜像に現像剤であるトナーを付与してトナー像とする現像装置１８Ｋ、１８Ｃ、１８Ｍ、１８Ｙと、この現像装置１８Ｋ、１８Ｃ、１８Ｍ、１８Ｙによって現像されたトナー像を一次転写対象である中間転写ベルト１６に順次転写する転写手段としての一次転写ローラ１９Ｋ、１９Ｃ、１９Ｍ、１９Ｙと、転写された後に各感光体ドラム１２Ｋ、１２Ｃ、１２Ｍ、１２Ｙの表面に残留しているトナーを除去するクリーニング装置２０Ｋ、２０Ｃ、２０Ｍ、２０Ｙとが設けられている。
【００３２】
ここで、各ラインヘッド１１Ｋ、１１Ｃ、１１Ｍ、１１Ｙは、上述した有機ＥＬ発光素子の配列方向が各感光体ドラム１２Ｋ、１２Ｃ、１２Ｍ、１２Ｙの母線に並行となるように固定されている。また、各ラインヘッド１１Ｋ、１１Ｃ、１１Ｍ、１１Ｙの発光エネルギーのピーク波長と各感光体ドラム１２Ｋ、１２Ｃ、１２Ｍ、１２Ｙの感度ピーク波長とは、略一致するように設定されている。
【００３３】
現像装置１８Ｋ、１８Ｃ、１８Ｍ、１８Ｙは、例えば、現像剤として非磁性一成分トナーを用いるもので、その一成分現像剤を例えば供給ローラで現像ローラへ搬送し、現像ローラ表面に付着した現像剤の膜厚を規制ブレードで規制し、その現像ローラを各感光体ドラム１２Ｋ、１２Ｃ、１２Ｍ、１２Ｙに接触あるいは押厚させることにより、各感光体ドラム１２Ｋ、１２Ｃ、１２Ｍ、１２Ｙの電位レベルに応じて現像剤を付着させることによりトナー像として現像するものである。
【００３４】
このような４色の単色トナー像形成ステーションにより形成された黒、シアン、マゼンタ、イエローの各トナー像は、一次転写ローラ１９Ｋ、１９Ｃ、１９Ｍ、１９Ｙに印加される  一次転写バイアスにより中間転写ベルト１６上に順次一次転写され、中間転写ベルト１６上で順次重ね合わされてフルカラーとなったトナー像は、二次転写ローラ２１において用紙等の記録媒体Ｐに二次転写され、定着部である定着ローラ対２２を通ることで記録媒体Ｐ上に定着され、排紙ローラ対２３によって、装置上部に形成された排紙トレイ２４上へ排出される。なお、二次転写ローラ２１は、中間転写ベルト１６との間で二次転写部を形成するものである。
【００３５】
なお、この機構構成において、符号２５は多数枚の記録媒体Ｐが積層保持されている給紙カセット、２６は給紙カセット２５から記録媒体Ｐを一枚ずつ給送するピックアップローラ、２７は二次転写ローラ２１の二次転写部への記録媒体Ｐの供給タイミングを規定するゲートローラ対、２８は二次転写後に中間転写ベルト１６の表面に残留しているトナーを除去するクリーニングブレードである。
【００３６】
このような画像形成装置によれば、本実施形態に係わるラインヘッド１を用いているので、ラインヘッド１における電源を安定化させることが可能であり、よって不具合発生の防止、安定動作を実現することが可能となる。
【００３７】
（第２実施形態）
次に、本発明の第２実施形態について、図６を参照して説明する。なお、本第２実施形態の説明において、上記第１実施形態と同様の部分については、その説明を省略あるいは簡略化する。
【００３８】
図６は、本第２実施形態のラインヘッド１の部分断面図であり、上記第１実施形態の説明に用いた図３と同一部分の断面図である。
この図６に示すように、本第２実施形態ラインヘッド１においては、駆動用ＴＦＴ２のゲート端子４３と同一層にゲート端子層配線４４が形成されており、このゲート端子層配線４４と電源配線３０１とがコンタクト部４５を介して接続されている。なお、ゲート端子層配線４４とゲート端子４３とは、上述のように同一層に形成されているが、非接続状態で形成されている。
【００３９】
周知のように、キャパシタは、対向する導電層が広い程、大容量化される。このような観点から、電源配線３０１を図２において示した、裏面側グランド配線３０２ｂと略同様の面積にまで広げて形成することによって、裏面側グランド配線３０２ｂと電源配線３０１との間に形成されるキャパシタの容量が大きくなり、より電源の安定化を図ることができる。しかしながら、図２に示すように、ラインヘッド１においては、電源配線３０１と同一層に電源配線３０１と近接して配置されているため、より広い面積を有する電源配線３０１を形成することは困難である。
【００４０】
そこで、本実施形態のように、電源配線３０１やグランド配線３０２が形成される層よりも下層にコンタクト部４５を介して電源配線３０１と接続されるゲート端子層配線４４を配置することによって、裏面側グランド配線３０２ｂと対向する導電層を広くすることができ、キャパシタの容量を大きくすることができる。したがって、本第２実施形態のラインヘッド１によれば、より電源を安定化させることが可能となる。
なお、ゲート端子層配線４４は、ゲート端子４３と同一プロセスによって容易に形成することが可能である。
【００４１】
なお、本願発明は、上記実施形態に限定されることなく、例えば以下のような変形例が考えられる。
（１）上記実施形態では、駆動回路として駆動トランジスタ（ＴＦＴ）を用いたが、本発明の駆動回路は駆動トランジスタに限定されない。各発光素子を駆動できる回路であれば、他の回路であっても良い。
（２）上記実施形態では、発光素子として有機ＥＬ発光素子を用いたが、本発明の発光素子は有機ＥＬ発光素子に限定されない。例えば、発光素子としてＬＥＤ（light emitting diode）を用いることもできる。
（３）上記実施形態では、タンデム方式の画像形成装置について説明したが、本発明はタンデム方式に限定されるものではない。
【図面の簡単な説明】
【００４２】
【図１】本発明の一実施形態に係わるラインヘッドの略回路構成を示す回路図である。
【図２】本発明の一実施形態に係わるラインヘッドの回路レイアウト構成を示す模式図である。
【図３】図２のＡ−Ａ線断面図である。
【図４】本発明の一実施形態に係わる画像形成装置の画像データの処理に関するブロック図である。
【図５】本発明の一実施形態に係わる画像形成装置の機構構成を示す断面図である。
【図６】本発明の第２実施形態に係わるラインヘッドの部分断面図である。
【符号の説明】
【００４３】
１  ラインヘッド、３０  選択回路、３１  データ線部、３２  画素回路、３０１  電源配線、３０２  グランド配線、３０２ｂ  裏面側グランド配線、３０３  シフトレジスタ、３０４  スタート信号線、３０５  クロック信号線、３０６  ゲート線、３１０  保護抵抗、３１１  入力バッファ、３１２  データ線、３１３  引き出し線、３２１  発光素子  ＴＦＴ１  保持トランジスタ、ＴＦＴ２  駆動トランジスタ（駆動回路）、４１  アノード端子（一方の電極）、４２  カソード端子（他方の電極）、４３  ゲート端子、４４  ゲート端子層配線
【図１】
2006103007.tif 000003
【図２】
2006103007.tif 000004
【図３】
2006103007.tif 000005
【図４】
2006103007.tif 000006
【図５】
2006103007.tif 000007
【図６】
2006103007.tif 000008